(57)【要約】【課題】乳幼児が母親から離れた場合であっても、乳幼児の安らかな眠りを持続し易い着用物品を提供する。【解決手段】使い捨ておむつ10は、着用者の腹部を覆う前胴回り部Ｓ１、及び着用者の臀部を覆う後胴回り部Ｓ２を含む胴回り部と、前胴回り部と後胴回り部の間に配置され、かつ着用者の股下に配置される股下部Ｓ３と、を有する。股下部及び胴回り部の少なくとも一方には、使い捨ておむつに着用者の体圧が掛かることによって着用者の身体の支持を発現する支持手段としての吸収体３０が設けられていることを要旨とする。【選択図】図１
2015073625.tif 000002
【特許請求の範囲】
【請求項１】
着用者の腹部を覆う前胴回り部、及び前記着用者の臀部を覆う後胴回り部を含む胴回り部と、
前記前胴回り部と前記後胴回り部の間に配置され、かつ前記着用者の股下に配置される股下部と、
を有する着用物品であって、
前記股下部及び前記胴回り部の少なくとも一方には、前記着用物品に前記着用者の体圧が掛かることによって前記着用者の身体の支持を発現する支持手段が設けられている、着用物品。
【請求項２】
前記支持手段は、前記着用者の体圧が掛かることによって圧縮変形可能に構成されており、該支持手段の復元力によって前記着用者の身体を押圧して前記着用者を支持する、請求項１に記載の着用物品。
【請求項３】
前記支持手段は、前記着用者が寝かされた状態で体圧を受ける体圧受け部と、前記体圧受け部が体圧を受けたことによって移動して前記着用者の身体の支持を発現する支持発現部と、を有する、請求項１に記載の着用物品。
【請求項４】
前記体圧受け部は、前記後胴回り部に配置され、前記着用者の体圧によって押圧され、
前記支持発現部は、前記体圧受け部が押圧されることによって前記着用者の身体側に移動し、前記着用者の腰の両側部に当接する、請求項３に記載の着用物品。
【請求項５】
前記支持手段は、前記前胴回り部と前記後胴回り部に設けられ、かつ前記着用者の腰回りを囲み、該腰回りを支持する腰支持部を含む、請求項１から請求項４のいずれかに記載の着用物品。
【請求項６】
前記支持手段は、前記股下部及び前記胴回り部の少なくとも一方に設けられ、前記着用者の脚を腹側に押し上げつつ前記着用者の脚を支持する脚支持部を含む、請求項１から請求項５のいずれかに記載の着用物品。
【請求項７】
前記着用者の脚回りに配置され、当該脚回りに沿って伸縮するレッグ弾性部材を有しており、
前記レッグ弾性部材は、前記後胴回り部側に位置する後レッグ弾性部材と、前記前胴回り部側に位置する前レッグ弾性部材と、を有し、
前記後胴回り部の前記着用者の臀部に当接する臀部当接部の収縮応力は、前記後レッグ弾性部材が配置された領域の収縮応力よりも低い、請求項１から請求項６のいずれかに記載の着用物品。
【請求項８】
前記着用者の脚回りに配置され、当該脚回りに沿って伸縮するレッグ弾性部材を有しており、
前記レッグ弾性部材は、前記後胴回り部側に位置する後レッグ弾性部材と、前記前胴回り部側に位置する前レッグ弾性部材と、を有し、
前記前胴回り部の前記着用者の腹部に当接する腹部当接部の収縮応力は、前記前レッグ弾性部材が配置された領域の収縮応力よりも低い、請求項１から請求項７のいずれかに記載の着用物品。
【発明の詳細な説明】
【技術分野】
【０００１】
本発明は、着用者の腹部を覆う前胴回り部、及び着用者の臀部を覆う後胴回り部を含む胴回り部と、前胴回り部と後胴回り部の間に配置され、かつ着用者の股下に配置される股下部と、を有する着用物品に関する。
【背景技術】
【０００２】
近年、乳幼児を一時的に寝かせたり、座らせたりするベビーラックシートとして、乳幼児を快適な姿勢で寝かせるための姿勢保持機構を有するベビーラックシートが提案されている（例えば、特許文献１参照）。姿勢保持機能は、例えば、乳幼児の頭部を支持する頭部パッド、乳幼児の背部を支持する背部パッド、及び乳幼児の臀部を支持する臀部パッドによって実現される。
【０００３】
このような姿勢保持機能を有するベビーラックシートによれば、乳幼児の頭部、背部及び臀部を支持して、乳幼児の姿勢を維持できる。
【先行技術文献】
【特許文献】
【０００４】
【特許文献１】特開２００７−２２５０３号公報
【発明の概要】
【発明が解決しようとする課題】
【０００５】
しかし、上述したベビーラックシートには、以下の問題点があった。ベビーラックシートを使用する際は、母親が乳幼児をかかえて、当該ベビーラックシートに乳幼児を寝かせる。一般的に、ベビーラックシートに乳幼児を安定した状態で寝かせるために、母親が抱っこした状態で一旦乳幼児を寝かしつけ、乳幼児が寝た後にベビーラックシートに寝かせることが行われている。
【０００６】
しかし、乳幼児は、母親の腕に包まれた状態で一旦寝た場合であっても、母親から離れてベビーラックシート等に寝かされると、身体が不安定な状態となり、起きてしまうことがあった。そのため、乳幼児の安らかな眠りを維持できないことがあった。
【０００７】
そこで、本発明は、このような状況に鑑みてなされたものであり、乳幼児が母親から離れた場合であっても、乳幼児の安らかな眠りを持続し易い着用物品を提供することを目的とする。
【課題を解決するための手段】
【０００８】
本開示に係る着用物品（使い捨ておむつ10）は、着用者の腹部を覆う前胴回り部（前胴回り部Ｓ１）、及び前記着用者の臀部を覆う後胴回り部（後胴回り部Ｓ２）を含む胴回り部と、前記前胴回り部と前記後胴回り部の間に配置され、かつ前記着用者の股下に配置される股下部（股下部Ｓ３）と、を有する着用物品であって、前記股下部及び前記胴回り部の少なくとも一方には、前記着用物品に前記着用者の体圧が掛かることによって前記着用者の身体の支持を発現する支持手段（吸収体３０）が設けられていることを要旨とする。
【発明の効果】
【０００９】
本開示によれば、乳幼児が母親から離れた場合であっても、乳幼児の安らかな眠りを持続し易い着用物品を提供することができる。
【図面の簡単な説明】
【００１０】
【図１】本実施形態に係る使い捨ておむつの伸長状態の展開平面図である。
【図２】図１に示すＡ−Ａ断面図である。
【図３】図１に示す使い捨ておむつを着用者に装着し、着用者の体圧が掛かる前の状態を示す断面図である。
【図４】図１に示す使い捨ておむつを着用者に装着し、着用者の体圧が掛かった後の状態を示す断面図である。
【図５】変形例１に係る使い捨ておむつの伸長状態の展開平面図である。
【図６】図５に示すＢ−Ｂ断面図である。
【図７】変形例２に係る使い捨ておむつの使い捨ておむつの伸長状態の展開平面図である。
【図８】図７に示すＣ−Ｃ断面図である。
【図９】図７に示すＣ−Ｃ断面における装着状態を模式的に示した図である
【図１０】変形例３に係る使い捨ておむつの展開平面図である。
【図１１】変形例４に係る使い捨ておむつの展開平面図である。
【発明を実施するための形態】
【００１１】
次に、本発明に係る着用物品の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
本実施の形態の着用物品は、パンツ型の使い捨ておむつ10である。なお、本発明における着用物品は、パンツ型の使い捨ておむつに限れられず、テープタイプの使い捨ておむつであってもよい。また、本発明の着用物品は、使い捨ておむつに限られず、排泄物を吸収する吸収体を有しない下着等の衣服であってもよい。
【００１４】
（１）使い捨ておむつの全体概略構成
図１は、本実施形態に係る使い捨ておむつ10の伸長状態の展開平面図である。図２は、図１のＡ−Ａ断面図である。図３及び図４は、図２のＡ−Ａ断面を基準とした断面において、使い捨ておむつを着用者に装着した状態を示す図である。なお、以下、図１等の平面図は、使い捨ておむつを構成する表面シート等の皺が形成されない状態まで腰回り弾性部材等の弾性部材を伸長させた図である。
【００１５】
使い捨ておむつ１は、着用者の身体前側と身体後側とに延びる前後方向Ｌと、前後方向Ｌに直交する幅方向Ｗと、着用者に向かう内方向及び内方向と反対側に向かう外方向を有する厚み方向と、を有する。
【００１６】
使い捨ておむつ１は、図１に示すように、使い捨ておむつ１の前後方向Ｌにおいて、着用者の腹部を含む前胴回りに当てられる前胴回り部Ｓ１と、着用者の臀部を含む後胴回りに当てられる後胴回り部Ｓ２と、着用者の股下に当てられ、前胴回り部Ｓ１と後胴回り部Ｓ２との間に位置する股下部Ｓ３と、を有する。胴回り部は、前胴回り部Ｓ１と後胴回り部によって構成される。
【００１７】
前胴回り部Ｓ１は、当該前胴回り部を前後方向に３等分した第１前領域ＲＦ１、第２前領域ＲＦ２及び第３前領域ＲＦ３に区画される。第１前領域ＲＦ１は、前胴回り部Ｓ１の前後方向内側端部を含む領域であり、第３前領域ＲＦ３は、前胴回り部Ｓ１の前後方向外側端部を含む領域であり、第２前領域ＲＦ２は、第１前領域ＲＦ１と第３前領域ＲＦ３の間に位置する。後胴回り部Ｓ２は、当該後胴回り部を前後方向に３等分した第１後領域ＲＲ１、第２後領域ＲＲ２及び第３後領域ＲＲ３に区画される。第１後領域ＲＲ１は、後胴回り部Ｓ２の前後方向内側端部を含む領域であり、第３後領域ＲＲ３は、前胴回り部Ｓ１の前後方向外側端部を含む領域であり、第２後領域ＲＲ２は、第１後領域ＲＲ１と第３後領域ＲＲ３の間に位置する。
【００１８】
使い捨ておむつ１は、吸収性本体１Ａと、外装体１Ｂと、から構成されており、これらは互いに、接着剤や熱融着などによって接合されている。
【００１９】
吸収性本体１Ａは、着用者の肌当接面側に位置する表面シート２１と、着用者の非肌当接面側に位置する裏面シート２２と、表面シート２１と裏面シートの間に位置する吸収体３０と、を少なくとも有する。吸収性本体１Ａは、前胴回り部Ｓ１、後胴回り部Ｓ２、及び股下部Ｓ３に跨がって配置されている。
【００２０】
表面シート２１は、液透過性であり、吸収体３０の表面側（肌当接面側）に設けられる。表面シートは、例えば、不織布によって構成される。
【００２１】
裏面シート２２は、液不透過性であり、吸収体３０の裏面側（非肌当接面側）に設けられる。裏面シート２２は、例えば、液を透過しないフィルムによって構成される。なお、裏面シートは、１枚のシートによって構成されていてもよいし、複数のシートが積層されて構成されていてもよい。
【００２２】
吸収体３０は、吸収性材料が積層された吸収性コアを有する。本実施の形態の吸収体３０は、パルプとＳＡＰが混合された吸収性コアと、当該吸収性コアを包むコアラップと、から構成されている。コアラップは、例えば、テッシュを用いることができる。なお、吸収体３０は、吸収性コアを包むコアラップを有していなくてもよい。
【００２３】
本実施の形態の吸収体３０は、着用者の体圧が掛かることによって圧縮変形可能に構成されており、支持手段として機能する。支持手段としての吸収体３０は、支持手段が圧縮変形した際の復元力によって、着用者の身体を押圧して着用者の身体を支持する。
【００２４】
図２に示すように、吸収体３０は、吸収体の幅方向外側端部において肌当接面側に突出した凸部３１と、凸部間の凹部３２と、を有する。凸部３１は、吸収性コアの厚みが相対的に厚い部分であり、凹部３２は、吸収性コアの厚みが相対的に薄い部分である。凸部３１及び凹部３２は、吸収体３０の前後方向全域に亘って形成されている。凸部３１は、使い捨ておむつが着用された状態で、着用者の臀部の膨らみに当たるように設けられている。凸部３１は、着用者の体圧がかかった状態で、圧縮変形するように構成されている。
【００２５】
なお、本実施の形態の吸収体３０は、吸収体の幅方向端部に設けられた凸部が着用者の臀部の膨らみに当接し、凸部間に凹部が形成されているが、この構成に限られない。吸収体は、凸部や凹部が形成されてなく、肌当接面側の面が平滑面であってもよい。このような吸収体としては、吸収体の凸部が形成された部分の吸収性材料の密度が高く、かつ吸収体の凹部が形成された部分の密度が低く、肌当接面側の面が平滑面である構成を例示できる。また、吸収体は、幅方向外側端部から幅方向中央に向かって円弧状に凹む形状であってもよい。
【００２６】
また、吸収体の凸部３１や凹部３２は、着用時に最も体圧が係る臀部近傍に対応する領域に設けられていればよい。よって、吸収体３０の凸部３１や凹部３２は、吸収体３０の前後方向全域に形成されずに、吸収体３０の後側端部のみに形成されていてもよい。
【００２７】
外装体１Ｂは、前胴回り部Ｓ１に配置される前外装体１ＢＦと、後胴回り部Ｓ２に配置される後外装体１ＢＲと、を有する。前外装体１ＢＦと後外装体１ＢＲは、前後方向において互いに離間している。なお、前外装体１ＢＦと後外装体１ＢＲとが一体化されていてもよい。
【００２８】
前外装体１ＢＦの一方の幅方向外側に位置する前胴回り縁部４が、後外装体１ＢＲの一方の幅方向外側に位置する後胴回り縁部６と接合され、かつ前外装体１ＢＦの他方の幅方向外側に位置する前胴回り縁部４’が、後外装体１ＢＲの幅方向外側に位置する後胴回り縁部６’と接合されることによって、使い捨ておむつ１がパンツ型に形成される。パンツ型の使い捨ておむつの前胴回り部Ｓ１及び後胴回り部Ｓ２には、互いの縁部が接合された接合部（図示せず）が形成される、股下部Ｓ３は、接合部よりも前後方向内側の域である。
【００２９】
使い捨ておむつ１には、パンツ型に形成された状態で、着用者の腰回りを囲んで配置される腰回り開口部（図示せず）と、着用者の脚回りを囲んで配置される一対の脚回り開口部（図示せず）と、が形成される。 
外装体１Ｂは、着用者の肌当接面側に位置する外装表面シート７１と、非肌当接面側に位置する外装裏面シート７２と、を有する。外装表面シート７１と外装裏面シート７２の間に、着用者の脚回りに配置されるレッグ弾性部材８１と、着用者の腰回りに配置される腰回り弾性部材８２と、フィット弾性部材８３と、が設けられている。レッグ弾性部材８１、腰回り弾性部材８２、及びフィット弾性部材８３は、幅方向に沿って配置されており、幅方向に伸縮可能である。
【００３０】
前外装体１ＢＦと後外装体１ＢＲは、前外装体１ＢＦと後外装体１ＢＲが接合された状態で着用者の腰回りを囲み、該腰回りを支持する腰支持部として機能する。腰支持部は、着用者の腰回り全周を囲む機能と、着用者の腰回りを支えて保持する機能と、を有する。腰支持部は、着用者の腰回りを囲むように配置される外装表面シート７１及び外装裏面シート７２と、幅方向に伸縮することによって着用者の腰回りに外装表面シート等をフィットさせるフィット弾性部材８３と、腰回り開口部の周囲に配置され、かつ、着用者の腰回りを支持する腰回り弾性部材８２と、によって構成されている。
【００３１】
腰回り弾性部材８２は、第３前領域ＲＦ３と第３後領域ＲＲ３とに配置されている。フィット弾性部材８３は、前胴回り部において第３前領域ＲＦ３と第２前領域ＲＦ２に配置され、後胴回り部において第３後領域ＲＲ３と第２後領域ＲＲ２に配置されている。
【００３２】
レッグ弾性部材８１は、前胴回り部Ｓ１に配置される前レッグ弾性部材８１Ｆと、後胴回り部Ｓ２に配置される後レッグ弾性部材８１Ｒと、を有する。レッグ弾性部材８１は、着用者の脚を腹側に押し上げつつ着用者の脚を支持する脚支持部として機能する。本実施の形態の脚支持部としてのレッグ弾性部材は、胴回り部における第１前領域ＲＦ１及び第１後領域ＲＲ１に設けられている。
【００３３】
前レッグ弾性部材８１Ｆが配置された第１前領域ＲＦ１の伸縮率は、後レッグ弾性部材８１Ｒが配置された第１後領域ＲＲ１の伸縮率よりも高い。具体的には、第１後領域ＲＲ１の幅方向の伸縮率は、１．６倍〜３．６倍であり、第１前領域ＲＦ１の幅方向の伸縮率は、１．８倍〜３．８倍である。よって、使い捨ておむつの脚回り開口部９は、後側よりも前側の方が収縮し、前側に向いて開口する。また、使い捨ておむつが着用された状態で、前胴回り部側の脚回り開口部は、後胴回り部側の脚回り開口部よりも収縮する。よって、着用者の脚は、レッグ弾性部材によって前側に引き寄せられる。
【００３４】
第１後領域ＲＲ１の伸縮率は、第２後領域ＲＲ２の伸縮率よりも高い。具体的には、第１後領域ＲＲ１の幅方向の伸縮率は、１．６倍〜３．６倍であり、第２後領域ＲＲ２の幅方向の伸縮率は、１．６倍〜３．３倍である。
【００３５】
第１前領域ＲＦ１の伸縮率は、第２前領域ＲＦ２の伸縮率よりも高い。具体的には、第１前領域ＲＦ１の幅方向の伸縮率は、１．８倍〜３．８倍であり、第２前領域ＲＦ２の幅方向の伸縮率は、１．５倍〜３．２倍である。
【００３６】
また、前レッグ弾性部材８１Ｆが配置された第１前領域ＲＦ１の収縮応力は、後レッグ弾性部材８１Ｒが配置された第１後領域ＲＲ１の収縮応力よりも低い。具体的には、第１前領域ＲＦ１の収縮応力は、０．２N/10mm〜０．５N/10mmであり、第１後領域ＲＲ１の収縮応力は、０．３N/10mm〜１．０N/10mmである。第１前領域ＲＦ１の収縮応力が第１後領域ＲＲ１の収縮応力よりも低いため、第１前領域ＲＦ１は、第１後領域ＲＲ１よりも伸び易い。よって、着用者が脚を前側により引き寄せ易くなる。
【００３７】
第１後領域ＲＲ１の収縮応力は、第２後領域ＲＲ２の収縮応力よりも高い。具体的には、第１後領域ＲＲ１の収縮応力は、０．３N/10mm〜１．０N/10mmであり、第２後領域ＲＲ２の収縮応力は、０．２５N/10mm〜０．９N/10mmである。
【００３８】
第１前領域ＲＦ１の収縮応力は、第２前領域ＲＦ２の収縮応力よりも高い。具体的には、第１前領域ＲＦ１の収縮応力は、０．２N/10mm〜０．５N/10mmであり、第２前領域ＲＦ２の収縮応力は、０．１〜０．５N/10mmである。
【００３９】
なお、本実施の形態の脚支持部は、後レッグ弾性部材８１Ｒの伸縮率よりも高い前レッグ弾性部材８１Ｆによって構成されているが、本発明の脚支持部は、当該構成に限定されない。脚支持部は、着用者の後胴回り部側の脚回りを腹側に向かって引き寄せるように構成されていればよく、例えば、前レッグ弾性部材のみを配置し、後レッグ弾性部材を配置しない構成であってもよいし、前レッグ弾性部材の本数や面積を後レッグ弾性部材の本数や面積よりも多くする構成であってもよい。
【００４０】
また、レッグ弾性部材８１は、外装体１Ｂの幅方向全域に配置されているが、吸収体と重なる部分のレッグ弾性部材は、非伸長状態で配置されていることが好ましい。非伸長状態のレッグ弾性部材とは、伸縮性を発揮しない状態で配置されたレッグ弾性部材である。幅方向に伸長しない状態で外装シートにレッグ弾性部材を固定したり、レッグ弾性部材を切断したりすることにより、レッグ弾性部材が非伸長状態となる。
【００４１】
前外装体１ＢＦの第２前領域ＲＦ２は、着用者の腹部に当接し、腹部当接部として機能する。第２前領域ＲＦ２は、幅方向に伸縮性を有する。第２前領域ＲＦ２は、少なくとも幅方向に伸縮可能であればよく、前後方向Ｌ及び幅方向Ｗに伸縮可能であってもよい。第２前領域ＲＦ２は、例えば、例えば、メッシュ状のシートによって構成されていてもよいし、伸縮性を有する不織布によって構成されていてもよいし、弾性部材が伸長固定された非伸縮性のシートによって構成されていてもよい。本実施の形態の第２前領域ＲＦ２は、外装表面シート７１と、外装裏面シート７２と、外装表面シート７１と外装裏面シート７２の間に配置されたフィット弾性部材８３と、によって構成されている。
【００４２】
上述のように第２前領域ＲＦ２の伸縮率は、第１前領域ＲＦ１の伸縮率よりも低い。また、第２前領域ＲＦ２の収縮応力は、第１前領域ＲＦ１の収縮応力よりも低い。
【００４３】
後外装体１ＢＲの第２後領域ＲＲ２は、着用者の臀部に当接し、臀部当接部として機能する。第２後領域ＲＲ２は、幅方向に伸縮性を有する。第２後領域ＲＲ２は、少なくとも幅方向に伸縮可能であればよく、前後方向及び幅方向に伸縮可能であってもよい。第２後領域ＲＲ２は、例えば、メッシュ状のシートによって構成されていてもよいし、伸縮性を有する不織布によって構成されていてもよいし、弾性部材が伸長固定された非伸縮性のシートによって構成されていてもよい。本実施の形態の第２後領域ＲＲ２は、外装表面シート７１と、外装裏面シート７２と、外装表面シート７１と外装裏面シート７２の間に配置されたフィット弾性部材８３と、によって構成されている。
【００４４】
上述のように第２後領域ＲＲ２の伸縮率は、第１後領域ＲＲ１の伸縮率よりも低い。また、第２後領域ＲＲ２の収縮応力は、第１後領域ＲＲ１の収縮応力よりも低い。
【００４５】
なお、弾性部材が配置された領域の収縮応力は、（株）島津製作所製：オートグラフ型引張試験機、例えば形式ＡＧ−１ＫＮＩを用いて、サイクル試験にて測定できる。
【００４６】
具体的には、以下の方法に沿って測定できる。予め、対象とする使い捨ておむつの脇部の左右の接合部の内々間距離を、サンプル表面にしわが発生しない状態にまで伸ばした状態にて測定する。当該測定値を最大伸長時サンプル幅Ａとする。左右接合部の内々間距離とは、前胴回り縁部４側の接合部と前胴回り縁部４’側の接合部との幅方向の距離である。
【００４７】
次いで、対象とするおむつ胴回り部の一方の側（前側又は後側）から測定対象域を切り出し、試料を用意する。切り出した試料を、チャック間距離１００ｍｍとして、左右係止め領域を試験機のチャックに固定する。次いで、サンプルが伸長する方向に、１００ｍｍ／分の速度で伸度８５％（距離Aの８５％）まで伸長させその後、１００ｍｍ／分の速度で、伸度７０％の長さまで戻す（距離Aの７０％）。この時の、応力（N）を測定結果値とし、サンプル幅を基に、10mm幅あたりの応力値（N/10mm）へと換算して、収縮応力の値とする。
【００４８】
また、伸縮率は、収縮方向（本実施形態では、幅方向Ｗ）における伸縮の程度を意味し、以下のように規定される。
【００４９】
伸縮率＝（最大伸張状態における測定領域の収縮方向における長さ）/（自然状態における測定領域の収縮方向における長さ）
なお、本明細書において、かかる伸縮率は、例えば、次のように測定されるものとする。
【００５０】
第１に、使い捨ておむつがパッケージ等に封入されている場合には、パッケージから使い捨ておむつを取り出し、その状態にて20℃±２℃、相対湿度６０％±５％ＲＨの雰囲気下において６０分間放置し、収縮方向に沿って測定領域（例えば、第１前領域ＲＦ１）の長さを測定する。この長さを、「自然状態の測定領域（例えば、第１前領域ＲＦ１）の長さ」とする。
【００５１】
第２に、かかる状態（すなわち、自然状態）における所望領域の収縮方向における長さ、及び、自然状態から弾性部材による皺が目視にて確認できない状態まで延伸した時の測定領域の収縮方向における長さを測定する。この長さを、「伸長状態における測定領域（例えば、第１前領域ＲＦ１）の長さ」とする。
【００５２】
これら測定結果を用い、上述の式にて算出することで伸縮率が測定される。
【００５３】
（２）使い捨ておむつの装着態様
次いで、このように構成された使い捨ておむつの装着態様について説明する。図３及び図４は、図２に示すＡ−Ａ断面を基準とした断面における装着状態を示している。図３及び図４は、着用者の臀部に当たる部分の断面である。図３は、着用者の体圧が掛かる前の状態であり、図４は、着用者の体圧が掛かった状態である。
【００５４】
図３に示す着用者の体圧が掛かる前の状態では、吸収性コアは、圧縮変形せず、着用者の臀部形状に沿って配置されている。吸収性コアの幅方向両端部に位置する凸部は、着用者の臀部の膨らんだ部分に当接している。
【００５５】
次いで、着用者が仰向けの状態で寝具に寝かされると、着用者の体圧が使い捨ておむつに掛かり、図４に示す状態となる。図４に示す体圧が掛かった状態では、吸収体３０の凸部３１は、着用者の臀部によって押圧され、圧縮変形する。吸収体３０が圧縮変形することにより、当該吸収体は、その復元力によって着用者の身体を押圧する。吸収体３０の凸部３１は、臀部の最も膨らんだ部分と臀部の側方とに当接し、当該臀部を支持する。
【００５６】
また、使い捨ておむつが着用された状態で、着用者の腰回りは、使い捨ておむつの前外装体１ＢＦと後外装体１ＢＲによって囲まれる。また、腰回り弾性部材８２の収縮によって前外装体１ＢＦと後外装体１ＢＲは、着用者の腰回りに密着しており、着用者の腰回りが支持される。また、前レッグ弾性部材８１Ｆが配置された第１前領域伸縮率は、後レッグ弾性部材８１Ｒが配置された第１後領域の伸縮率よりも高いため、着用者の脚回りには、背側の脚回りを腹側に押圧する力が作用する。よって、着用者は、自然に脚を腹側に寄せるような姿勢を取りやすくなる。自然に脚を腹側に寄せるような姿勢で、レッグ弾性部材は、着用者の脚回りを腹側に寄せるように押圧し続ける。よって、着用者が一旦脚を腹側に寄せるような姿勢を維持すると、当該姿勢を維持し易くなる。
【００５７】
（３）作用・効果
母親が抱っこした状態では、母親によって着用者の腰回りが支持されているが、着用者をベッド等に移動しようとすると、母親の支持がなくなる。しかし、本実施の形態の使い捨ておむつは、支持手段としての吸収体に着用者の体圧が掛かることによって、吸収体が着用者の身体の支持を発現するように構成されている。そのため、着用者がベッド等に寝かされたことに起因して、支持手段が着用者の身体を支持する。母親等の支持がなくなった場合であっても、母親に包まれた状態を擬似的に実現可能となる。本出願人が種々検証を行った結果、乳幼児が母親に包まれた状態を擬似的に体感することにより、乳幼児の安らかな眠りを持続し易いことがわかった。よって、乳幼児が母親に包まれた状態を擬似的に体感することにより、乳幼児の安らかな眠りを持続し易くなる。
【００５８】
吸収体３０に体圧が掛かることによって吸収体が圧縮変形し、当該吸収体の復元力によって吸収体が着用者の身体を支持する。支持手段である吸収体自体の変形によって着用者の身体の支持を発現するため、体圧が掛かったことを検知する検知手段等を有する構成と比較して、簡易な構成によって着用者の身体の支持を実現できる。
【００５９】
また、本出願人が鋭意研究を重ねた結果、乳幼児は、身体前側が縮むような前屈みの姿勢（脚を付け根から曲げ、脚を腹側に寄せる姿勢）において落ち着いて安眠し易いことがわかった。例えば、母親が抱っこした状態では、母親によって着用者の脚を支持され、着用者の脚が腹側に寄せられているが、着用者をベッド等に移動しようとすると、母親の支持がなくなる。
【００６０】
本実施の形態の使い捨ておむつは、脚支持部によって着用者の脚を腹側に押し上げることにより、前屈みの姿勢を維持し易くなり、乳幼児が落ち着いた安眠状態を維持し易くなる。
【００６１】
このように構成された使い捨ておむつによれば、母親に抱っこされた状態であっても、母親から離れた状態であっても、抱っこ感を実現でき、母親から離れたことによる乳幼児の不安感を抑制し易い。
【００６２】
着用者の臀部に当接する臀部当接部としての第２後領域ＲＲ２の収縮応力は、後レッグ弾性部材が配置された第１後領域ＲＲ１の収縮応力よりも低い。身体前側が縮むような前屈みの姿勢を取ると、着用者の皮膚は伸び縮みされ、特に臀部近傍の皮膚は、身体前側が縮むような前屈みの姿勢をとると、身体を伸ばした状態に対して30%程度伸びる。このとき、臀部当接部の収縮応力が低いため、皮膚の伸び縮みに好適に追従できる。よって、着用者は、身体前側が縮むような前屈みの姿勢を容易に取ることが可能となり、また一旦前屈みの姿勢取った際に、当該姿勢を維持し易くなる
着用者の腹部に当接する腹部当接部を構成する第２前領域ＲＦ２の収縮応力は、前レッグ弾性部材が配置された第１前領域ＲＦ１の収縮応力の伸縮率よりも低い。着用者である乳幼児は、一般的に、飲食や排泄の状況に応じて着用者の腹の膨らみが変化する。腹部に当接する第２前領域ＲＦ２の収縮応力が低いため、着用者の腹部を締め付けすぎずに、ゆったりと覆うことができる。
【００６３】
また、レッグ弾性部材は、着用者の後胴回り部側の脚回りを腹側に向かって引き寄せるように収縮するため、着用者の脚を前側に引き寄せ易くなる。乳幼児が母親に抱えられた状態では、乳幼児は、身体前側が縮むような前屈みの姿勢となる。よって、乳幼児は、身体前側が縮むような前屈みの姿勢を取ることにより、母親に抱えられた状態を乳幼児が疑似的に感じ、乳幼児が安心感を得やすい。乳幼児は、身体前側が縮むような前屈みの姿勢を容易に取ることが可能となり、落ち着いて安眠し易くなる。
【００６４】
前レッグ弾性部材が配置された第１前領域の伸縮率は、後レッグ弾性部材が配置された第１後領域伸縮率よりも高いため、前胴回り部の脚回り開口部が後胴回り部の脚回り開口部よりも収縮する。よって、着用者の脚を前側に引き寄せ易い。
【００６５】
（４）変形例に係る着用物品
次いで、変形例に係る着用物品について、説明する。なお、以下の変形例の説明においては、上述した実施形態に係る使い捨ておむつ１０と同一部分には同一の符号を付して、相違する部分を主として説明する。
【００６６】
図５は、変形例１に係る使い捨ておむつ１０Ａの伸長状態の展開平面図である。図６は、図５に示すＢ−Ｂ断面図である。変形例１に係る使い捨ておむつ１０Ａと実施の形態とは、レッグ弾性部材による伸縮態様、レッグサイドギャザーの有無、及び吸収体のスリットが異なる。
【００６７】
変形例１に係る使い捨ておむつは、吸収体の凸部に重なる部分の伸縮率と、吸収体の凹部に重なる部分の伸縮率とが異なる。図５及び図６において、伸縮率が相対的に高い高伸縮領域Ｒ１と、伸縮率が相対的に低い低伸縮領域Ｒ２と、を示す。高伸縮領域Ｒ１は、伸縮率が相対的に高いレッグ弾性部材８１が配置された領域である。低伸縮領域Ｒ２は、高伸縮領域Ｒ１よりもレッグ弾性部材８１の伸縮率が低い領域、又はレッグ弾性部材が配置されていない領域である。高伸縮領域Ｒ１と低伸縮領域Ｒ２は、幅方向に隣接している。
【００６８】
例えば、吸収体が体液を吸収すると、当該体液の重みによって吸収体が着用者から離れる方向に移動し、着用者の脚回りの適した位置に使い捨ておむつを配置できないおそれがある。しかし、変形例１の使い捨ておむつは、着用者の脚回り近傍に位置する高伸縮領域Ｒ１の伸縮率が低伸縮領域Ｒ２の伸縮率よりも高いため、高伸縮領域Ｒ１が低伸縮領域Ｒ２よりも身体に密着する。よって、吸収体が体液を吸収した場合であっても、吸収体を着用者の意図した部位に当てることができる。よって、着用者の身体を安定して保持でき、乳幼児の安らかな眠りを持続し易くなる。
【００６９】
また、変形例１の使い捨ておむつは、起立性のレッグサイドギャザーを有している。レッグサイドギャザーは、吸収体の幅方向外側端部において着用者側に立ち上がり、体液の横漏れを防ぐ防漏部として機能する。レッグサイドギャザーは、サイドシート４１と、第１防漏弾性部材４２と、第２防漏弾性部材４３と、を有する。レッグサイドギャザーは、吸収体の幅方向両端部をそれぞれ覆うように配置される。サイドシート４１の幅方向の一端（サイドシートの幅方向内側端部）は、前後方向に沿った折り目を基点に折り畳まれている。当該サイドシート４１間に、第１防漏弾性部材が前後方向に伸長した状態で配置されている。サイドシート４１の幅方向の一端は、前胴回り部Ｓ１及び後胴回り部Ｓ２において表面シートに接合されており、股下部Ｓ３において表面シートに接合されていない。サイドシート４１の幅方向の一端は、股下部において第１防漏弾性部材４２によって収縮し、表面シートから着用者側に起立する。サイドシート４１の幅方向の他端は、裏面シート２２の非肌当接面に接合されている。当該サイドシート４１間に、第１防漏弾性部材４２が前後方向に伸長した状態で配置されている。
【００７０】
第１防漏弾性部材４２及び第２防漏弾性部材４３は、吸収体の凸部３１と重なる部分に配置されている。よって、第１防漏弾性部材４２及び第２防漏弾性部材４３によって吸収体の凸部３１を着用者に押し当て、吸収体の凸部３１を着用者の意図した部位に当てることができる。よって、体圧が掛かった状態では、着用者の臀部によって吸収体３０の凸部３１が圧縮変形され、当該吸収体は、その復元力によって着用者の身体を押圧することができる。
【００７１】
更に、吸収体の凸部３１と凹部３２の境界には、前後方向に伸びるスリット３５が形成されている。当該スリット３５を設けることにより、凸部３１と凹部３２の境界を基点に吸収体が変形し易くなる。よって、吸収体３０の凸部３１を着用者の臀部の側方側に変形させて、吸収体によって着用者の臀部を支持し易くなる。なお、スリットは、吸収体を構成する吸収性材料が配置されていない部分である。なお、スリットに代えて、吸収性材料の目付が周囲の目付よりも低い低目付部を設けてもよいし、吸収体を厚み方向に圧搾したエンボス部を設けてもよい。
【００７２】
また、レッグサイドギャザーは、股下部では着用者側に起立しているが、図６に示すように、後胴回り部では着用者側に起立していない。よって、着用者の臀部の側部には、サイドシート４１が密着する。例えば、体液を吸収した後に吸収体３０が着用者に密着すると、一旦吸収体に吸収された体液が着用者側に戻って、着用者の肌に体液が付着するおそれがある。しかし、サイドシートとして疎水性のシートを用いることにより、後胴回り部の吸収体に体圧がかかった場合にも、体液の戻りを防止し、着用者の肌に体液が付着することを防止できる。  
図７は、変形例２に係る使い捨ておむつ１０Ｂの伸長状態の展開平面図である。図８は、図７に示すＣ−Ｃ断面図である。図９は、Ｃ−Ｃ断面における装着状態を示した図である。変形例２に係る使い捨ておむつ１０Ｂの支持手段は、着用者が寝かされた状態で体圧を受ける体圧受け部３３と、体圧受け部３３が体圧を受けたことによって移動して着用者の身体の支持を発現する支持発現部３４と、を有する。
【００７３】
体圧受け部３３は、後胴回り部に配置され、着用者の体圧によって押圧されるように構成されている。体圧受け部３３は、吸収体内部に設けられ、周囲の吸収体よりも剛性が高い部材によって構成されている。体圧受け部３３は、後胴回り部と股下部に跨って配置されている。体圧受け部３３の幅方向内側部分が着用者の臀部の膨らみに当接するように設けられている。
【００７４】
支持発現部３４は、体圧受け部３３が押圧されることによって着用者の身体側に移動し、着用者の腰の両側部に当接するように構成されている。支持発現部３４は、吸収体の一部であって、幅方向において体圧受け部が配置された領域及び体圧受け部よりも幅方向外側の領域の吸収体である。
【００７５】
このように構成された使い捨ておむつが装着され、かつ着用者が仰向けの状態で寝具に寝かされると、着用者の体圧が使い捨ておむつに掛かり、図９に示す状態となる。図９に示す体圧が掛かった状態では、体圧受け部の幅方向内側部分に着用者の体圧がかかり、体圧受け部及び支持発現部の幅方向外側部分が、体圧受け部の幅方向内側部分を基点として着用者側に移動する。よって、吸収体の幅方向外側端部が着用者の身体側に移動し、着用者の腰の両側部に当接する。
【００７６】
着用者がベッド等に寝かされたことに起因して、支持発現部としての吸収体が着用者の腰の両側部を支持する。そのため、母親等の支持がなくなった場合であっても、母親に包まれた状態を擬似的に実現でき、着用者の身体が不安定になることを抑制でき、乳幼児の安らかな眠りを持続し易い。
【００７７】
次いで、図１０は、変形例３に係る使い捨ておむつ１０Ｃである。変形例３に係る使い捨ておむつは、パンツ型の使い捨ておむつではなく、オープンタイプの使い捨ておむつである。
【００７８】
変形例３に係る使い捨ておむつ１０Ｃは、後胴回り部に外装体１Ｂよりも幅方向外側に延出するファスニングテープ９０が設けられている。使い捨ておむつ１０Ｃは、吸収性本体１Ａに重なる部分の伸縮率と、吸収性本体よりも幅方向外側の領域の伸縮率とが異なる。具体的には、使い捨ておむつ１０Ｃのレッグ弾性部材８１は、吸収性本体１Ａよりも幅方向外側の領域のみに設けられている。よって、吸収性本体１Ａに重なる部分の伸縮率よりも、吸収性本体よりも幅方向外側の領域の伸縮率が高い。
【００７９】
このように構成された使い捨ておむつを着用者に装着する際は、使い捨ておむつの股下部を着用者の股間部に当てた状態で、後胴回り部のファスニングテープを前胴回り部に引き寄せ、当該ファスニングテープを前胴回り部に止着する。
【００８０】
また、後胴回り部における吸収性本体よりも幅方向外側の領域の伸縮率が高いため、使い捨ておむつが着用された状態で、後レッグ弾性部材８１Ｒによって、後胴回り部における吸収性本体よりも幅方向外側の領域が、身体に密着する。そのため、使い捨ておむつによって、着用者の腰回り、特に、臀部の側部を支持することができ、母親等の支持がなくなった場合であっても、母親に包まれた状態を擬似的に実現でき、着用者の身体が不安定になることを抑制でき、乳幼児の安らかな眠りを持続し易い。
【００８１】
次いで、図１１は、変形例４に係る使い捨ておむつ１０Ｄである。変形例４に係る使い捨ておむつは、テープタイプの使い捨ておむつであり、装着状態において前胴回り部の一部と後胴回り部の一部とが重なるように構成されている。
【００８２】
前胴回り部と後胴回り部には、それぞれレッグ弾性部材８１及び腰回り弾性部材８２が配置されている。前胴回り部と後胴回り部は、幅方向全域に亘って幅方向に伸縮する。
【００８３】
変形例４に係る使い捨ておむつが着用者に装着されると、前胴回り部と後胴回り部が重なる領域が、前胴回り部のみによって覆われる領域及び後胴回り部のみによって覆われる領域よりも身体に密着する。よって、前胴回り部と後胴回り部が重なる領域に当たる部分、具体的には、臀部の側部を積極的に支持することができる。よって、母親等の支持がなくなった場合であっても、母親に包まれた状態を擬似的に実現でき、着用者の身体が不安定になることを抑制でき、乳幼児の安らかな眠りを持続し易い。
【００８４】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【００８５】
また、本実施の形態の前胴回り部には、伸縮性を有する腹部当接部が設けられているが、本発明の前胴回り部は、当該構成に限定されない。例えば、前胴回り部に、腹部当接部に代えて、前後方向に折り畳まれた襞が形成されていてもよい。飲食や排泄の状況に応じて着用者の腹の膨らみが変化する際に、襞が展開することで着用者の腹の膨らみ等に追従でき、前胴回り部の突っ張りや前胴回り部のたるみを抑制できる。
【００８６】
また、支持手段は、着用者の臀部に配置される円弧形状の弾性部材であってもよい。より具体的には、支持手段は、着用者の体圧が掛かることによって体圧が掛かる前よりも円弧の曲率が大きくなるように変形し、該変形状態において着用者の脚を腹側に押し上げつつ着用者の身体を支持する。当該構成の支持手段によっても、体圧が掛かることにより、着用者の身体の支持を発現することができる。
【００８７】
支持手段は、着用者が寝かされた状態であることを検出する検出部と、着用者が寝かされた状態であることを検出部が検出したことによって前用者の身体の支持を発現する支持発現部と、を有していてもよい。当該構成の支持手段によっても、体圧が掛かることにより、着用者の身体の支持を発現することができる。
【００８８】
また、支持手段としての体圧受け部は、後胴回り部に配置され、着用者の体圧によって押圧されることによって周囲に移動する流動体を有し、支持発現部は、体圧受け部からの流動体の流入によって着用者の身体の支持を発現するように構成されていてもよい。流動体とは、粉粒体等の流体によって構成できる。
【符号の説明】
【００８９】
１０、１０Ａ、１０Ｂ、１０Ｃ、１０Ｄ        ：使い捨ておむつ
１Ａ      ：吸収性本体
１Ｂ      ：外装体
１ＢＦ    ：前外装体
１ＢＲ    ：後外装体
３        ：接合部
４        ：前胴回り縁部
６        ：後胴回り縁部
３０      ：吸収体
３５      ：スリット
４１      ：サイドシート
４２      ：防漏弾性部材
４３      ：押し当て弾性部材
７１      ：外装表面シート
７２      ：外装裏面シート
８１      ：レッグ弾性部材
８１Ｆ    ：前レッグ弾性部材
８１Ｒ    ：後レッグ弾性部材
８２      ：腰回り弾性部材
９０      ：ファスニングテープ
Ｌ        ：前後方向
Ｓ１      ：前胴回り部
Ｓ２      ：後胴回り部
Ｓ３      ：股下部
Ｗ        ：幅方向
【図１】
2015073625.tif 000003
【図２】
2015073625.tif 000004
【図３】
2015073625.tif 000005
【図４】
2015073625.tif 000006
【図５】
2015073625.tif 000007
【図６】
2015073625.tif 000008
【図７】
2015073625.tif 000009
【図８】
2015073625.tif 000010
【図９】
2015073625.tif 000011
【図１０】
2015073625.tif 000012
【図１１】
2015073625.tif 000013